(57)【特許請求の範囲】
【請求項１】
入力された画像データをプレビュー画像として表示するプレビュー表示手段を操作部に備えた画像形成装置において、
前記プレビュー表示手段に元画像を分割し、プレビュー領域ごとに１つずつ用意される縮小画像を背景とする複数の領域を設定したプレビュー領域選択画面を表示し、前記複数の領域の中から所望の領域を選択してその領域に対応する画像データをプレビュー表示させる手段を備えていることを特徴とする画像形成装置。
【請求項２】
前記プレビュー表示させる手段が、前記プレビュー領域ごとに前記プレビュー領域選択画面に元画像の縮小画像をグレースケールで表示し、選択された領域をカラー表示させることを特徴とする請求項１記載の画像形成装置。
【請求項３】
前記プレビュー表示させる前に元画像の分割数を選択する手段を備えていることを特徴とする請求項１記載の画像形成装置。
【請求項４】
前記プレビュー表示画面に表示させる画像データを隣接する領域の画像データに移動させる手段と、
前記移動させる手段に対して移動を指示する手段と、
を備えていることを特徴とする請求項１記載の画像形成装置。
【請求項５】
前記移動を指示する手段が、前記プレビュー表示画面に設けられていることを特徴とする請求項４記載の画像形成装置。
【請求項６】
前記プレビュー表示させる手段が、予め隣接する領域のプレビュー画像の画像データを取得し、隣接領域の表示の際、前記隣接する領域のプレビュー画像を表示させることを特徴とする請求項４記載の画像形成装置。
【請求項７】
前記プレビュー表示させる手段が、前記移動を指示する手段により表示可能な隣接する領域よりも先の領域の表示を指示されたとき、前記先の領域の画像データを取得し、当該先の領域の画像を表示させることを特徴とする請求項４記載の画像形成装置。
【請求項８】
初期画面を前記複数の領域の中から選択する選択手段を備えていることを特徴とする請求項１記載の画像形成装置。
【請求項９】
入力された画像データをプレビュー表示手段にプレビュー画像として表示させる制御をコンピュータに実行させるためのコンピュータプログラムにおいて、
前記プレビュー表示手段に元画像を分割し、プレビュー領域ごとに１つずつ用意される縮小画像を背景とする複数の領域を設定したプレビュー領域選択画面を表示させる処理と、
前記複数の領域の中から所望の領域を選択してその領域に対応する画像データをプレビュー表示させる処理と、
を備えていることを特徴とするコンピュータプログラム。
【発明の詳細な説明】
【技術分野】
【０００１】
本発明は、操作パネルにおける表示部でのプレビュー機能、特に、サイズが大きい画像について小画面でプレビュー機能を実現する表示部を備えた画像形成装置及び当該画像形成装置のコンピュータにロードされ前記表示部でプレビュー表示を実行するコンピュータプログラムに関する。
【背景技術】
【０００２】
各種機器において操作入力を行う場合に操作パネルの表示部に各種の表示を行うが、これらの表示に例えばプレビュー表示機能及びサムネイル一覧表示機能がある。例えば、特許文献１には、プレビュー表示やサムネイル表示に必要な画像データを保持しておくための記憶領域を縮小するため、画像出力部によって記録シート上に出力されるべき画像の画像データが画像メモリに書き込まれ、カラー表示装置におけるプレビュー表示又はサムネイル表示の際には、その画像メモリに書き込まれて保持されている画像データが読み出され、画像メモリから読み出されたＣＭＹＫ各色成分の画像データに対して、プレビュー・サムネイル画像処理部によって所定の処理が行われることにより、カラー表示装置に入力すべきＲＧＢ各色成分のＺビット画像データを生成し、そのビット幅をカラー表示装置に入力すべき画像データのビット幅Ｚよりも小さくした発明が開示されている。
【０００３】
また、特許文献２には、操作画面用表示部とは別に着脱可能な構成にした操作画面部とプレビュー画面部とを備えたプレビュー画面用表示部を操作部に備え、操作画面部は入力データを入力する複数のキーボタンと、図示しない制御部からの操作情報を表示する操作画面表示用（操作画面用表示部）と、操作画面表示用ＬＣＤと一体化されたタッチパネルとを有し、プレビュー画面部は画像読取部から読み取られた画像データをプレビュー画像として表示するプレビュー画面表示用ＬＣＤ（プレビュー画面用表示部）を備えた発明が開示されている。
【特許文献１】特開２００５−０５７５９８号公報
【特許文献２】特開２００６−０１４２４４号公報
【発明の開示】
【発明が解決しようとする課題】
【０００４】
例えば操作部（表示＆操作用タッチパネル）で扱えるメモリ容量に制限があるＭＦＰ（デジタル複合機− Multi Function Peripheral)機において、広幅や長尺の大画像の場合はプレビュー画像のサイズも大きくなるため前述の特許文献１あるいは２記載の発明を適用したとしてもプレビュー表示ができない。プレビュー表示ができないと、処理の選択や操作に不都合が生じる場合があり、ユーザの操作性に問題を生じていた。
【０００５】
本発明は、このような背景に鑑みてなされたもので、解決すべき課題は、限られたメモリ容量で大画像のプレビュー表示を可能にすることにある。
【課題を解決するための手段】
【０００６】
前記目的を達成するため、第１の手段は、入力された画像データをプレビュー画像として表示するプレビュー表示手段を操作部に備えた画像形成装置において、前記プレビュー表示手段に元画像を分割し、プレビュー領域ごとに１つずつ用意される縮小画像を背景とする複数の領域を設定したプレビュー領域選択画面を表示し、前記複数の領域の中から所望の領域を選択してその領域に対応する画像データをプレビュー表示させる手段を備えていることを特徴とする。
第２の手段は、入力された画像データをプレビュー表示手段にプレビュー画像として表示させる制御をコンピュータに実行させるためのコンピュータプログラムにおいて、前記プレビュー表示手段に元画像を分割し、プレビュー領域ごとに１つずつ用意される縮小画像を背景とする複数の領域を設定したプレビュー領域選択画面を表示させる処理と、前記複数の領域の中から所望の領域を選択してその領域に対応する画像データをプレビュー表示させる処理と、を備えていることを特徴とする。
【００２５】
なお、後述の実施形態では、プレビュー表示手段はプレビュー画面部３に、操作部は画像形成装置操作部１に、画像形成装置はデジタル複写機１００に、プレビュー領域選択画面は符号６２，６５，６６，６７に、プレビュー表示させる手段及び分割数を設定する手段はプレビュー画面制御用ＣＰＵ１０２に、元画像の分割数を選択する手段は分割数キー６９ａに、移動を指示する手段は領域移動ボタン７０ａ，７０ｂ，７１ｃ，７１ｄに、プレビュー表示画面は符号６３，６８，７０，７１に、初期画面を選択する手段はデフォルトプレビュー表示領域選択画面７３に、それぞれ対応する。また、プログラムはプログラム用メモリ１１０に格納される。
【発明の効果】
【００２６】
本発明によれば、限られたメモリ容量で大画像のプレビュー表示が可能となる。
【発明を実施するための最良の形態】
【００２７】
以下、図面を参照し、本発明の実施形態について説明する。なお、以下の各実施例において同等な各部には同一の参照符号を付し、重複する説明は省略する。
【実施例１】
【００２８】
図１は本発明の実施例１に係る画像形成装置操作部の平面図である。この画像形成装置操作部１は、大きく分けて操作画面部２とプレビュー画面部３とを備えて構成され、操作画面部２は入力データを入力する複数のキーボタン２ｂと、図示しない制御部からの操作情報を表示する操作画面表示用ＬＣＤ（操作画面用表示部）２ａと、操作画面表示用ＬＣＤ２ａと一体化されたタッチパネル２ｃとを有し、プレビュー画面部３は画像読取部から読み取られた画像データをプレビュー画像として表示するプレビュー画面表示用ＬＣＤ（プレビュー画面用表示部）３ａを有している。なお、プレビュー画面部３は一点鎖線から着脱可能なように構成されている。
【００２９】
図２は本発明の実施形態に係る複合機の構成図である。  
操作部制御基板３０上には、本体制御基板５０上の本体ＣＰＵ５１とは独立した専用の操作部ＣＰＵ３１が搭載されており、操作部制御基板３０と本体制御基板５０は同期シリアル等の通信手段６０により接続され、描画コマンドやキー入力情報等の双方向データ通信が可能な構成となっている。操作部ＣＰＵ３１には、制御プログラムや画面データが格納されているフラッシュＲＯＭ３２、ワーク領域として使用されるＳＲＡＭ３３、ＬＣＤモジュール３７をコントロールするＬＣＤコントローラ３４、ＬＣＤモジュール３７上に重ねて配置されるタッチパネル３５、キー基板のドライバ３６等が接続されている。
【００３０】
また、操作部ＣＰＵ３１は、ＬＣＤコントローラ３４を介して、ＬＣＤモジュール３７への表示画素データが格納されるビデオＲＡＭ、略してＶＲＡＭと呼ばれるＳＤＲＡＭ３８へのリード／ライトも可能である他、ドライバ３６の先にあるキー基板３９上のキースイッチやＬＥＤ、ＬＣＤモジュール３７のバックライト制御も可能となっている。ＬＣＤコントローラ３４は、ＳＤＲＡＭ３８のリフレッシュ処理や、ＳＤＲＡＭ３８からＬＣＤモジュール３７への表示データ転送（表示信号出力）を行うが、内部レジスタへの設定により、この信号の出力４０は抑制可能となっている。また、各制御基板上には、ＩＣカード等の外部記憶媒体の接続手段が付加されており、外部記憶媒体からのデータ読み込みが可能な構成となっている。接続手段としてはカードスロットがあるが、外部記憶媒体からプログラムやデータが読み出せる構成であればこの限りではない。カードスロットへのＩＣカード装着／未装着は入力ポートにて確認可能である。本体制御基板５０には、本体ＣＰＵ５１の他、フラッシュＲＯＭ５２、ＳＲＡＭ５３、ハードディスク５４、ＮＶＲＡＭ５５を備えている。
【００３１】
図３は、実施例１に係る操作部を備えた画像形成装置としてのデジタル複写機の概略構成図である。この実施例に係るデジタル複写機１００の上面にはコンタクトガラス２０６が設けられている。また、複写機１００の上部には自動原稿送り装置（以下、単にＡＤＦという）２０１が設けられており、このＡＤＦ１はコンタクトガラス２０６を開閉するように複写機１００に図示しないヒンジ等を介して連結されている。このＡＤＦ２０１は、複数の原稿からなる原稿束を載置可能な原稿載置台としての原稿トレイ２０２と、原稿トレイ２０２に載置された原稿束から原稿を１枚ずつ分離してコンタクトガラス２０６に向かって搬送する分離・搬送手段と、分離・搬送手段によってコンタクトガラス２０６に向かって搬送された原稿をコンタクトガラス２０６上の読取位置に搬送・停止させるとともに、コンタクトガラス２０６の下方に配設された複写機１００の読取手段（公知の露光ランプ２５１、ミラー２５２、２５５、２５６、レンズ２５３、ＣＣＤ２５４等）２５０により読み取りが終了した原稿をコンタクトガラス２０６から搬出する。給紙モータはコントローラからの出力信号によって駆動されるようになっており、コントローラは複写機１００から給紙スタート信号が入力されると、給紙モータを正・逆転駆動するようになっている。給紙モータが正転駆動されると、給送ローラ２０３が時計方向に回転して原稿束から最上位に位置する原稿を給紙し、コンタクトガラス２０６に向かって搬送する。この原稿の先端が原稿セット検知センサ２０７によって検知されると、コントローラは原稿セット検知センサ２０７からの出力信号に基づいて給紙モータを逆転駆動させる。これにより、後続する原稿が進入するのを防止して分離されないようになっている。
【００３２】
また、コントローラは原稿セット検知センサ２０７が原稿の後端を検知したとき、この検知時点からの搬送ベルトモータの回転パルスを計数し、回転パルスが所定値に達したときに、給送ベルト２０４の駆動を停止して給送ベルト２０４を停止することにより、原稿をコンタクトガラス２０６読取位置に停止させる。また、コントローラは原稿セット検知センサ２０７によって原稿の後端が検知された時点で、給紙モータを再び駆動し、後続する原稿を上述したように分離してコンタクトガラス２０６に向かって搬送し、この原稿が原稿セット検知センサ２０７によって検知された時点からの給紙モータのパルスが所定パルスに到達したときに、給紙モータを停止させて次原稿を先出し待機させる。そして、原稿がコンタクトガラス２０６の読取位置に停止したとき、複写機１００によって原稿の読み取り及び露光が行われる。この読み取り及び露光が終了すると、コントローラには複写機１００から信号が入力されるため、コントローラはこの信号が入力すると、搬送ベルトモータを正転駆動して、搬送ベルト２１６によって原稿をコンタクトガラス２０６から排送ローラ２０５に搬出する。
【００３３】
上記のように、ＡＤＦ２０１にある原稿トレイ２０２に原稿の画像面を上にして置かれた原稿束は、操作部上のプリントキーが押下されると、一番上の原稿からコンタクトガラス２０６上の所定の位置に給送される。給送された原稿は、読み取りユニット２５０によってコンタクトガラス２０６上の原稿の画像データを読み取り後、給送ベルト２０４及び反転駆動コロによって排出口Ａ（原稿反転排出時の排出口）に排出される。さらに、原稿トレイ２０２に次の原稿があることを検知した場合、前原稿と同様にコンタクトガラス２０６上に給送される。
【００３４】
また第１トレイ２０８、第２トレイ２０９、第３トレイ２１０に積載された転写紙は、各々第１給紙ユニット２１１、第２給紙ユニット２１２、第３給紙ユニット２１３によって給紙され、縦搬送ユニット２１４によって感光体２１５に当接する位置まで搬送される。読み取りユニット２５０にて読み込まれた画像データは、書き込みユニット２５７からのレーザによって感光体２１５に書き込まれ、現像ユニット２２７を通過することによってトナー像が形成される。そして、転写紙は感光体２１５の回転と等速で搬送ベルト２１６によって搬送されながら、感光体２１５上のトナー像が転写される。その後、定着ユニット２１７にて画像を定着させ、排紙ユニット２１８に搬送される。排紙ユニット２１８に搬送された転写紙は、ステープルモードを行わない場合は、排紙トレイ２１９に排紙される。
【００３５】
図４は本発明の実施例１における大画像プレビュー表示における処理のシーケンスを示す図である。このシーケンスは操作パネルの表示画面、オペレーションコントロールシステム（以下、ＯＣＳと称す）５１、アプリケーション５２、メモリコンロトールシステム（以下、ＭＣＳと称す）５３間の処理のシーケンスを示している。
【００３６】
まず、図４のシーケンス図を参照し、大画像プレビュー表示における処理の流れについて説明する。  
このシーケンスでは、文書一覧表示画面（図５参照）での処理、プレビュー領域選択画面（図６参照）での処理、及びプレビュー画面（図７）での処理の大きく分けて３つの処理が実行される。
【００３７】
文書一覧表示画面の処理では、ユーザは図５に示す文書一覧表示画面６１でプレビュー表示したい文書を選択し、プレビューキー６１ａを押す（ＳＱ１０１）。図５で「文書１」を選択したとすると、このプレビューキー押し下げの情報はＯＣＳ５１からアプリケーション５２に送られ（ＳＱ１０２）、アプリケーション５２はＭＣＳ５３に対してファイル情報を要求する（ＳＱ１０３）。ＭＣＳ５３は前記ファイル情報要求に応じて文書１のプレビュー画像サイズをチェックし（Ｓ１０４）、アプリケーション５２にファイル情報を返す（ＳＱ１０５）。アプリケーション５２はＯＣＳ５１に画像転送用領域の確保とプレビュー領域選択画面表示を指示する（ＳＱ１０６，１０７）。これによりプレビュー画像サイズが操作部１で取り扱えるサイズを超える場合は、ＯＣＳ５１は画像を分割してプレビュー表示する判断をし、分割後のプレビュー画像を転送するための領域を確保する。同時に、ＯＣＳ５１は図６に示すプレビュー領域選択画面６１を操作部１のプレビュー画面部３のレビュー表示用ＬＣＤ３ａに表示させる。
【００３８】
プレビュー領域選択画面の処理では、表示されたプレビュー領域選択画面６２（図６）でユーザがプレビュー表示したい領域を選択する（ＳＱ１０８）。図６では上段右の領域６２ａを選択したとする。この選択はＯＣＳ５１からアプリケーション５２へ（ＳＱ１０９）通知され、アプリケーション５２はＭＣＳ５３に対してプレビュー画像削除とプレビュー画像作成を指示する（ＳＱ１１０，１１１）。この削除指示は、すでにプレビュー画像がある場合に実行される。ＭＣＳ５３では選択領域のプレビュー画像を作成し（ＳＱ１１２）、作成が完了するとアプリケーション５２に対してプレビュー画像の作成完了を通知する（ＳＱ１１３）。アプリケーション５２は前記通知に基づいてプレビュー画像を取得し（Ｓ１１４）、ＯＣＳ１にＪＰＥＧ画像として転送し（ＳＱ１１５）、プレビュー用アイテム作成と描画を指示する（ＳＱ１１６，１１７）。なお、２回目以降、プレビュー用アイテムは使い回しされる。このようにして操作部１の転送用領域にプレビュー画像が転送され、操作部１のプレビュー画面部３のプレビュー表示用ＬＣＤ３ａに図７のようなプレビュー表示画面６３が表示される。
【００３９】
プレビュー表示画面６３では、戻るキー６３ａをユーザが押下すると、領域選択画面に戻り（ＳＱ１１８）、ＯＣＳ５１はアプリケーション５２にプレビュー領域選択画面６２に戻るように指示し（ＳＱ１１９）、アプリケーション５２からＯＣＳ５１にプレビュー領域選択画面表示を指示する（ＳＱ１２０）。したがって、ＳＱ１２０後の状態では、図６に示したプレビュー領域選択画面６２が操作部１のプレビュー画面部３のプレビュー表示用ＬＣＤ３ａに表示された状態となる。
【００４０】
文書一覧表示終了時は、図５に示した文書一覧表示画面６１で閉じるキー６１ｂを押下する（ＳＱ１２１）。これによりＯＣＳ５１はアプリケーション５２に文書一覧表示画面６１を閉じるように指示し（ＳＱ１２２）、アプリケーション５２はＭＣＳ３に対してプレビュー画面削除を指示する（ＳＱ１２３）と共に、ＯＣＳ５１に対して文書一覧表示画面６１を閉じ（ＳＱ１２４）、画像転送用領域を開放するように指示する（ＳＱ１２５）。
【００４１】
このように実施例１では、プレビュー画像を分割して表示し、表示する領域を選択することができるので、限られたリソースでこれまで実現不可であったＡ０やＡ１などの大サイズの画像もプレビュー表示を行うことが可能となる。
【実施例２】
【００４２】
図８は本発明の実施例２における背景画像付きプレビュー領域選択画面表示の処理のシーケンスを示す図である。このシーケンスも実施例１と同様に操作パネルの表示画面、ＯＣＳ５１、アプリケーション５２、ＭＣＳ５３間の処理のシーケンスを示している。
【００４３】
このシーケンスでは、文書一覧表示画面での処理、プレビュー領域選択画面での処理の大きく分けて２つの処理が実行される。文書一覧表示画面の処理では、ユーザは図９に示す文書一覧表示画面６４でプレビュー表示したい文書を選択し、プレビューキー６４ａを押下する（ＳＱ２０１）。図９では「文書５」を選択したとする。このプレビューキー押し下げの情報はＯＣＳ５１からアプリケーション５２に送られ（ＳＱ２０２）、アプリケーション５２はさらにＭＣＳ５３に対してファイル情報を要求する（ＳＱ２０３）。ＭＣＳ５３は前記ファイル情報要求に応じて文書５のプレビュー画像サイズをチェックし（ＳＱ２０３ａ）、アプリケーション５２にファイル情報を返す（ＳＱ２０４）。アプリケーション５２はＯＣＳ５１に画像転送用領域の確保を指示し（ＳＱ２０５）、また、ＭＣＳ５３側に背景画像削除と背景画像作成（ＳＱ２０６，２０７）を指示する。なお、ＳＱ２０６は背景画像がある場合に、次の背景画像を作成する前に行われる。すなわち、プレビュー画像サイズが操作部１で扱えるサイズを超える場合は、ＯＣＳ５１は画像を分割してプレビュー表示する判断をし、プレビュー領域選択画面の背景画像のための領域と分割後のプレビュー画像を転送するための領域を確保する。
【００４４】
ＭＣＳ５３はプレビュー領域選択画面の背景画像を作成し（ＳＱ２０７ａ）、背景画像作成完了をアプリケーション５２に通知する（ＳＱ２０７ｂ）。この通知に基づいてアプリケーション５２は背景画像を取得し（ＳＱ２０７ｃ）、ＯＣＳ５１に背景ＪＰＥＧ画像転送と、プレビュー領域選択画面表示をＯＣＳ５１に指示する（ＳＱ２０８，２０９）。これにより図１０に示すような文書５を背景とする背景付きのプレビュー領域選択画面６２が操作部１のプレビュー画面部３のプレビュー表示用ＬＣＤ３ａに表示される。
【００４５】
このように実施例２では、プレビュー領域選択画面に元画像の縮小版が表示されるので、ユーザはプレビュー表示させたい部分を容易に選択することができる。
【００４６】
その他、特に説明しない各部は前述の実施例１と同等に構成され、同等に機能する。
【実施例３】
【００４７】
図１１は本発明の実施例３における選択領域をカラー表示するプレビュー領域選択画面表示の処理のシーケンスを示す図である。このシーケンスも実施例１と同様に操作パネルの表示画面、ＯＣＳ５１、アプリケーション５２、ＭＣＳ５３間の処理のシーケンスを示している。
【００４８】
このシーケンスでは文書一覧表示画面（図９）での処理、プレビュー領域選択画面（図１２）での処理、及びプレビュー画面（図１４）での処理の大きく分けて３つの処理が実行される。文書一覧表示画面の処理では、ユーザが図９に示す文書一覧画面６４でプレビュー表示したい文書を選択してプレビューキー６４ａを押下すると（ＳＱ３０１）、このプレビューキー押し下げの情報はＯＣＳ５１からアプリケーション５２に送られ（ＳＱ３０２）、アプリケーション５２はさらにＭＣＳ５３に対してファイル情報を要求する（ＳＱ３０３）。なお、図９では「文書５」が選択されているとする。ＭＣＳ５３は前記ファイル情報要求に応じて文書５のプレビュー画像サイズをチェックし（Ｓ３０４）、アプリケーション５２にファイル情報を返す（ＳＱ３０５）。プレビュー画像サイズが操作部１で扱えるサイズを超える場合は、アプリケーション５２は画像を分割してプレビュー表示する判断をし、プレビュー領域選択画面の背景画像のための領域と分割後のプレビュー画像を転送するための領域を確保する（ＳＱ３０６−３１６）。
【００４９】
すなわち、アプリケーション５２はＭＣＳに背景画像削除と背景画像作成を指示し（ＳＱ３０６，３０７）、ＭＣＳ５３はプレビュー領域選択画面用の背景画像を作成し（ＳＱ３０８）、背景画像の作成を完了すると、その旨アプリケーション５２に通知する（ＳＱ３０９）。背景画像としては、グレースケールの背景画像が１つと、選択領域部分のためのカラーの背景画像がプレビュー領域ごとに１つずつ用意される。アプリケーション５２は背景画像作成完了通知を受けて、背景画像を取得し（ＳＱ３１０）、選択領域部分の画像削除と画像作成をＭＣＳ５３に指示し（ＳＱ３１１，３１２）、ＭＣＳではＳＱ３１２の指示により分割数分の選択領域部分の画像を作成する（ＳＱ３１３）。分割数分の選択領域部分の画像作成が完了すると、その旨アプリケーション５２に通知する（ＳＱ３１４）。この通知を受けてアプリケーション５２では選択領域部分の画像を取得する（ＳＱ３１５）。この実施例では、プレビュー領域選択画面は図１０に示すように９分割なのでカラーの背景画像は９つ用意されることになる（ＳＱ３１３）。
【００５０】
アプリケーション５２はＳＱ３１５で選択領域部分画像取得が完了すると、ＯＣＳ５１に対して画像転送用領域確保とプレビュー領域選択画面表示を指示する（ＳＱ３１６，３１７）。これにより操作部１の転送用領域に背景画像が転送され、図１２に示すプレビュー領域選択画面６６が操作部１のプレビュー画面部３のプレビュー表示用ＬＣＤ３ａに表示される。
【００５１】
ユーザは図１２に示したプレビュー領域選択画面６６でプレビュー表示したい領域を選択する（ＳＱ３１８）。図１３では上段中央を選択したとする。領域を選択するとプレビュー領域選択画面６７に示すように選択された部分６７ａだけがカラー表示に変更される。ユーザは選択に問題なければ選択確定ボタン６７ｂを押し（ＳＱ３２１）、ＯＣＳ５１はその旨アプリケーション５２に通知（ＳＱ３２２）する。アプリケーション５２では、領域選択確定通知を受けてＭＣＳ５３に対してプレビュー画像削除とプレビュー画像作成を指示し（ＳＱ３２３，３２４）ＭＣＳ５３では、プレビュー画像がすでにある場合には、削除して選択領域プレビュー画面を作成する（ＳＱ３２５）。選択領域プレビュー画面の作成が完了すると、その旨アプリケーション５２に通知する（ＳＱ３２６）。アプリケーション５２では、プレビュー画像を取得し（ＳＱ３２７）、ＯＣＳ５１にＪＰＥＧ画像転送と、プレビュー用アイテム作成を指示し（ＳＱ３２８，３２９）、さらに操作部１に描画指示を通知して図１４のプレビュー画面６８を表示させる（ＳＱ３３０）。
【００５２】
以上のように実施例３では、実施例２におけるプレビュー領域選択画面において、選択されている領域のみがカラー表示されるため、視認性が向上する。
【００５３】
その他、特に説明しない各部は前述の実施例１及び２と同等に構成され、同等に機能する。
【実施例４】
【００５４】
図１５は本発明の実施例４におけるプレビュー画像分割数を選択してからプレビュー領域選択画面を表示する処理のシーケンスを示す図である。このシーケンスも実施例１と同様に操作パネルの表示画面、ＯＣＳ５１、アプリケーション５２、ＭＣＳ５３間の処理のシーケンスを示している。
【００５５】
このシーケンスでは文書一覧表示画面（図５）での処理、分割数選択画面（図１６）での処理、及びプレビュー画面（図６）での処理の大きく分けて３つの処理が実行される。文書一覧表示画面の処理では、ユーザが図５に示す文書一覧表示画面６１でプレビュー表示したい文書を選択し、プレビューキー６１ａを押下する（ＳＱ５０１）。このプレビューキー押し下げの情報はＯＣＳ５１からアプリケーション５２に送られ（ＳＱ５０２）、アプリケーション５２はＭＣＳ５３に対してファイル情報を要求する（ＳＱ５０３）。ＭＣＳ５３は、ファイル情報要求に基づいて選択された文書のプレビュー画像サイズをチェックする（ＳＱ５０４）。そして、このチェック結果をアプリケーション５２に返す（ＳＱ５０５）。アプリケーション５２はプレビュー画像サイズが操作部１で扱えるサイズを超える場合は、画像を分割してプレビュー表示する判断をし、分割後の画像を転送するための領域確保と、分割数選択画面表示とをＯＣＳ５１に指示する（ＳＱ５０６，５０７）。
【００５６】
ＯＣＳ５１は前記指示に応じて図１６に示す画像の分割数を選択するための分割数選択画面６９を操作部１に表示させる。ユーザが分割数選択画面６９から分割数キー６９ａを押下して分割数を選択すると（ＳＱ５０８）、ＯＣＳ５１はその旨アプリケーション５２に通知し（ＳＱ５０９）、アプリケーション５２からのプレビュー領域選択画面表示通知によりＯＣＳ５１は図６に示すプレビュー領域選択画面６２を操作部１のプレビュー画面部３のプレビュー表示用ＬＣＤ３ａに表示させる（ＳＱ５１０）。
【００５７】
また、プレビュー画面の領域を伸張する場合には、ＭＣＳ５３はファイルサイズ情報とプレビュー画像の分割数から、１つの領域のプレビュー画像の伸張後のサイズを算出する。ＭＣＳ５３は図１７の伸張領域へのプレビュー画像転送の説明図に示すように、操作部１の伸張領域に分割されたプレビュー画像が選択領域と上下左右の５つ分入ると判断した場合、ユーザがプレビュー領域選択画面６２で領域を選択したときに、同時に隣接する領域のプレビュー画像も取得して操作部１に転送する。図１７の場合は、９分割と１６分割のときのみ有効となる。これにより操作部１には予め隣接する領域のプレビュー画像が展開されているため、ユーザが別の領域に表示を移動したときも素早くプレビュー表示を行うことができる。
【００５８】
このように処理すると、ユーザがプレビュー領域の分割数を選択できるので、分割数が多い場合は高解像度のプレビュー画像、少ない場合は広範囲のプレビュー画像を確認することが可能となる。これにより、ユーザの目的に応じたプレビュー表示を行うことができる。また、予め隣接する領域のプレビュー画像を操作部側で保持しておくことにより、領域移動時のレスポンスの向上を図ることができる。
【００５９】
その他、特に説明しない各部は前述の実施例１と同等に構成され、同等に機能する。
【実施例５】
【００６０】
図１８は本発明の実施例５におけるプレビュー表示から隣接する領域へ移動するときの処理のシーケンスを示す図である。このシーケンスも実施例１と同様に操作パネルの表示画面、ＯＣＳ５１、アプリケーション５２、ＭＣＳ５３間の処理のシーケンスを示している。
【００６１】
このシーケンスではプレビュー領域選択画面（図６）での処理、及びプレビュー画面（図１８）での処理の大きく分けて２つの処理が実行される。プレビュー領域選択画面での処理では、ユーザがプレビュー領域選択画面６２で、図６に示すように上段右の領域６２ａを選択してプレビュー画面６３（図７）を表示させる（ＳＱ５０１−ＳＱ５１０）。このときの処理シーケンスは図４におけるＳＱ１０８からＳＱ１１７で説明したとおりである。
【００６２】
次いで、プレビュー表示画面６３に図１９のように隣接する領域に移動できる領域移動ボタン７０ａ，７０ｂを表示し、領域移動のプレビュー表示画面７０とする。図１９では左と下の領域にしか移動できないため、右と上のボタンはグレー表示され選択できないようになっている。図１９においてユーザが左の領域移動ボタン７０ａを押下すると（ＳＱ５１１）、ＯＣＳ５１は領域移動ボタン７０ａが押下されたことをアプリケーション５２に通知し（ＳＱ５１２）、アプリケーション５２はＭＣＳ５３にプレビュー画像の削除とプレビュー画像作成を指示し（ＳＱ５１３，５１４）、ＭＣＳ５３では左の領域の画像を取得して移動領域プレビュー画像を作成する（ＳＱ５１５）。ＭＣＳ５３で移動領域プレビュー画像が作成されると、その旨アプリケーション５２に通知し（ＳＱ５１６）、アプリケーション５２はプレビュー画像を取得した（ＳＱ５１７）後、ＯＣＳ５１にＪＰＥＧ画像として転送する（ＳＱ５１８）とともに、描画を指示する（ＳＱ５１９）。これにより、左の領域の画像が表示される。
【００６３】
このように隣接する領域を表示する場合には、ＳＱ５０７でプレビュー画像を取得する際、図２０の点線に示すように隣接する領域の一部を含めた画像を取得しておく。そして、図１９のプレビュー表示画面７０では、選択した領域のみの画像を表示し、図２０のようにして取得した隣接する領域の画像７１ａは隠れた状態にしておく。この状態で、ユーザが図１９に示す領域移動ボタン７１ｃ及び／又は７１ｄを押すことによって、プレビュー画像７１ｂをスクロールし、隣接する画像７１ａの一部を見ることができる。
【００６４】
図２１はプレビュー画像スクロール時の処理手順を示すフローチャートである。この処理手順では、プレビュー画面６３を表示し（ステップＳ１０１）、領域移動ボタン７１ｃ，７１ｄを押下すると（ステップＳ１０２）操作部取得画像領域内の移動か否かをチェックし（ステップＳ１０３）、領域内の移動でなければ、ステップＳ１０１に戻り、領域内の移動であれば、領域移動ボタン７１ｃ，７１ｄによって指示された移動方向へ表示領域をスクロールし（ステップＳ１０４）、ステップＳ１０１に戻る。
【００６５】
また、図２０のプレビュー画面７１において、領域移動ボタン７１ｃ，７１ｄで予め取得している隣接する領域の表示できる端まで画像をスクロールし、さらに同じ方向へ領域移動ボタン７１ｃ，７１ｄが押されたとき、押された領域移動ボタン７１ｃ，７１ｄの方向にある隣接する領域の画像を取得して表示させることもできる。このときの処理手順を図２２のフローチャートに示す。図２２はプレビュー領域切り替え判断の処理手順を示すフローチャートである。
【００６６】
この処理手順では、プレビュー画面を表示し（ステップＳ２０１）、領域移動ボタン７１ｃ，７１ｄが押下されると（ステップＳ２０２）、操作部取得画像領域内の移動か否かをチェックし（ステップＳ２０３）、領域内の移動であれば、領域移動ボタン７１ｃ，７１ｄによって指示された指示された移動方向へ表示領域をスクロールして（ステップＳ２０４）ステップＳ２０１に戻り、領域外の移動であれば、領域移動ボタン７１ｃ，７１ｄによって指示された方向の領域のプレビュー画像を取得して（ステップＳ２０５）ステップＳ２０１に戻る。
【００６７】
このように処理すると、プレビュー表示画面７０で隣接する領域に移動できるので、プレビュー領域選択画面６２ａに戻る必要がなく、操作性の向上を図ることができる。また、  隣接する領域に移動しなくても隣接する領域の一部が確認できるので、領域の境界部分を確認するときの利便性の向上を図ることができる。さらに、隣接する領域の表示限界までスクロールした後に隣接する領域へ移動するので、直感的な操作でプレビュー領域を移動させることができる。
【００６８】
その他、特に説明しない各部は前述の実施例１と同等に構成され、同等に機能する。
【実施例６】
【００６９】
図２３は本発明の実施例６における最適な分割数のプレビュー領域選択画面を表示する処理のシーケンスを示す図である。このシーケンスも実施例１と同様に操作パネルの表示画面、ＯＣＳ５１、アプリケーション５２、ＭＣＳ５３間の処理のシーケンスを示している。
【００７０】
このシーケンスでは文書一覧表示画面（図５）での処理が実行される。すなわち、ユーザが図５に示す文書一覧表示画面６１でプレビュー表示したい文書を選択してプレビューキー６１ａを押す（ＳＱ６０１）。ＯＣＳ５１はプレビューキー６１ａが押されたことをアプリケーション５２に通知し（ＳＱ６０２）、アプリケーション５２はＭＣＳ５３に対してファイル情報、ここでは選択された文書の画像サイズの情報を要求する。ＭＣＳ５３では、前記画像サイズの情報をチェックし、ファイルサイズを認識し、画像サイズが操作部１で扱えるサイズを超える場合は、画像を分割してプレビュー表示すると判断し、その旨アプリケーション５２に通知する（ＳＱ６０５）。アプリケーション５２では、分割時のプレビュー画像のサイズから、最適なプレビュー画像の分割数を判断する（ＳＱ６０６）。
【００７１】
例えば、プレビュー画像のサイズが大きい場合は、分割数が少ないと図２４（ａ）に示すようにプレビュー表示画面７２ａでスクロールを用いて全体を確認しなければならないという手間が発生する。逆に分割数が多すぎる場合は、図２４（ｂ）に示すようにプレビュー表示画面７２ｂの一部しか利用できないという不都合が発生する。そこで、なるべくこのような状況が発生しないような最適な分割数を自動的に判断する。この判断をシーケンスＳＱ６０６で行い、ＯＣＳ５１に画像転送用領域確保を指示し（ＳＱ６０７）、プレビュー領域選択画面表示を通知する（ＳＱ６０８）。この通知に基づいてＯＣＳ５１は図５に示すプレビュー領域選択画面６１を操作部１のプレビュー画面部３に表示させる。
【００７２】
このように処理すると、プレビュー画像のサイズから自動的にプレビュー画像の分割数を決定するので、ユーザが最適なプレビュー表示をするためにかかる手間を省くことができる。
【００７３】
その他、特に説明しない各部は前述の実施例１と同等に構成され、同等に機能する。
【実施例７】
【００７４】
図２５は本発明の実施例７における文書一覧選択画面から予め設定した領域のプレビュー表示を行うときの処理のシーケンスを示す図である。このシーケンスも実施例１と同様に操作パネルの表示画面、ＯＣＳ５１、アプリケーション５２、ＭＣＳ５３間の処理のシーケンスを示している。
【００７５】
このシーケンスでは文書一覧表示画面（図５）での処理が実行される。すなわち、ユーザが予め図２６に示す初期設定画面で、プレビュー画面を分割表示する場合、どの領域をデフォルト表示するかの設定をしておく。図２６は上段右の領域７３ａがデフォルトに設定されている。この条件で、ユーザが図５に示すような文書一覧表示画面６１でプレビュー表示したい文書を選択してプレビューキー６１ａを押す（ＳＱ７０１）。ＯＣＳ５１はプレビューキー６１ａが押されたことをアプリケーション５２に通知し、アプリケーション５２はＭＣＳ５３に対してファイル情報、ここでは選択された文書の画像サイズの情報を要求する（ＳＱ７０３）。ＭＣＳ５３では、前記画像サイズの情報をチェックし、ファイルサイズを認識し（ＳＱ７０４）、画像サイズ情報をアプリケーション５２に通知する（ＳＱ７０５）。アプリケーション５２はこの通知を受けてＯＣＳ５１に対して画像転送用領域を確保するように指示する（ＳＱ７０６）。アプリケーション５２はまた、ＭＣＳ５３に対してプレビュー画像削除とプレビュー画像作成を指示し（ＳＱ７０７，７０８）、ＭＣＳ５３では選択領域プレビュー画面を作成する（ＳＱ７０９）。プレビュー画像の作成が完了すると、その旨アプリケーション５２に通知する（ＳＱ７１０）。アプリケーション５２では、プレビュー画像作成完了の通知を受けて初期設定で選択された領域のプレビュー画像を取得し（ＳＱ７１１）、ＯＣＳ５１にＪＰＥＧ画像として転送する（ＳＱ７１２）。さらに、プレビュー用アイテム作成と描画を指示する（ＳＱ７１３，７１４）。これにより初期設定で選択された領域のプレビュー画像が文書一覧画面に表示される。
【００７６】
このように処理すると、プレビュー領域選択の手間をかけずに文書一覧画面からプレビュー画面へ表示が切り替わるため、毎回同じ領域のプレビュー画像を確認する場合（スキャンした図面の同じ位置に記入されている図番の確認など）の操作性を向上させることができる。
【００７７】
その他、特に説明しない各部は前述の実施例１と同等に構成され、同等に機能する。
【００７８】
なお、前記各実施例に示したフローチャートに示した処理、及びシーケンスに示した処理はコンピュータプログラムとして予めプログラム用メモリ１１０に格納され、プレビュー画面制御用ＣＰＵ１０２が図示しないＲＡＭに前記プログラムを展開して実行される。
【図面の簡単な説明】
【００７９】
【図１】本発明の実施例１における画像形成装置操作部の平面図である。
【図２】実施例１に係る操作部の機能ブロック図である。
【図３】実施例１に係るデジタル複写機の概略構成を示す図である。
【図４】実施例１における大画像プレビュー表示における処理のシーケンスを示す図である。
【図５】実施例１における文書一覧表示画面を示す図である。
【図６】実施例１におけるプレビュー領域選択画面を示す図である。
【図７】実施例１におけるプレビュー表示画面を示す図である。
【図８】実施例２における背景画像付きプレビュー領域選択画面表示の処理のシーケンスを示す図である。
【図９】実施例２における文書一覧表示画面を示す図である。
【図１０】実施例２におけるプレビュー領域選択画面を示す図である。
【図１１】実施例３における選択領域をカラー表示するプレビュー領域選択画面表示の処理のシーケンスを示す図である。
【図１２】実施例３におけるプレビュー領域選択画面を示す図である。
【図１３】実施例３におけるプレビュー領域選択画面の選択状態を示す図である。
【図１４】実施例３におけるプレビュー表示画面を示す図である。
【図１５】実施例４におけるプレビュー画像分割数を選択してからプレビュー領域選択画面を表示する処理のシーケンスを示す図である。
【図１６】実施例４におけるプレビュー領域分割数選択画面を示す図である。
【図１７】実施例４における伸張領域へのプレビュー画像転送の状態を示す図である。
【図１８】実施例５におけるプレビュー表示から隣接する領域へ移動するときの処理のシーケンスを示す図である。
【図１９】実施例５におけるプレビュー表示画面を示す図である。
【図２０】実施例５における隣接領域のプレビュー表示画面を示す図である。
【図２１】実施例５におけるプレビュー画像スクロール時の処理手順を示すフローチャートである。
【図２２】実施例５におけるプレビュー領域切り替え判断の処理手順を示すフローチャートである。
【図２３】実施例６における最適な分割数のプレビュー領域選択画面を表示する処理のシーケンスを示す図である。
【図２４】実施例６におけるプレビュー表示画面の分割数選択の理由を説明するための図である。
【図２５】実施例７における文書一覧選択画面から予め設定した領域のプレビュー表示を行うときの処理のシーケンスを示す図である。
【図２６】実施例７におけるデフォルトプレビュー表示領域選択画面を示す図である。
【符号の説明】
【００８０】
１  画像形成装置操作部
２  操作画面部
３ プレビュー画面部
３ａ  プレビュー画面表示用ＬＣＤ
１０  画像形成装置本体
１１  本体制御部
６１，６４  文書一覧表示画面
６１ａ，６４ａ  プレビューキー
６２，６５，６６，６７  プレビュー領域選択画面
６３，６８，７０，７１  プレビュー表示画面
６９  プレビュー領域分割数選択画面
６９ａ  分割数キー
７０ａ，７０ｂ，７１ｃ，７１ｄ  領域移動ボタン
７３  デフォルトプレビュー表示領域選択画面
１００  デジタル複写機
１０２  プレビュー画面制御用ＣＰＵ
【図１】
0004755527.tif 000002
【図２】
0004755527.tif 000003
【図３】
0004755527.tif 000004
【図４】
0004755527.tif 000005
【図５】
0004755527.tif 000006
【図６】
0004755527.tif 000007
【図７】
0004755527.tif 000008
【図８】
0004755527.tif 000009
【図９】
0004755527.tif 000010
【図１０】
0004755527.tif 000011
【図１１】
0004755527.tif 000012
【図１２】
0004755527.tif 000013
【図１３】
0004755527.tif 000014
【図１４】
0004755527.tif 000015
【図１５】
0004755527.tif 000016
【図１６】
0004755527.tif 000017
【図１７】
0004755527.tif 000018
【図１８】
0004755527.tif 000019
【図１９】
0004755527.tif 000020
【図２０】
0004755527.tif 000021
【図２１】
0004755527.tif 000022
【図２２】
0004755527.tif 000023
【図２３】
0004755527.tif 000024
【図２４】
0004755527.tif 000025
【図２５】
0004755527.tif 000026
【図２６】
0004755527.tif 000027